【手続補正書】
【提出日】平成28年1月8日(2016.1.8)
【手続補正１】
【補正対象書類名】特許請求の範囲
【補正対象項目名】全文
【補正方法】変更
【補正の内容】
【特許請求の範囲】
【請求項１】
少なくとも１種の基油と、
ジチオカルバメート部位を有する少なくとも１種の化合物と、
ホスファイト部位を有する少なくとも１種の化合物と、
ジチオホスフェート部位を有する少なくとも１種の化合物と、
を含む潤滑剤組成物であって、ジチオカルバメート部位を有する化合物が、
●  下記の一般式（Ｉ−ｃ）で表される少なくとも１種のアミンジチオカルバメート
【化１】
2015507068.tif 000001
（式中、Ｒ８およびＲ９は、互いに独立して、炭素数１〜３０の、任意で置換されていてもよい炭化水素含有基であり、Ｒ１０、Ｒ１１およびＲ１２は、互いに独立して、水素原子であるか又は炭素数１〜３０の炭化水素含有基であり、Ｒ１０、Ｒ１１およびＲ１２のうちの少なくとも１つは水素原子でない。）と、
●  下記の一般式（Ｉ−ｅ）で表される少なくとも１種の金属ジチオカルバメート
【化２】
2015507068.tif 000002
（式中、Ｒ１７およびＲ１８は、互いに独立して、炭素数１〜３０の、任意で置換されていてもよい炭化水素含有基であり、Ｍは金属カチオンであり、ｎはこの金属カチオンの価数である。）との混合物である、潤滑剤組成物。
【請求項２】
請求項１に記載の潤滑剤組成物において、ジチオカルバメート部位を有する化合物が、
●  下記の一般式（Ｉ−ｃ）で表される少なくとも１種のアミンジチオカルバメート
【化３】
2015507068.tif 000003
（式中、Ｒ８およびＲ９は、互いに独立して、炭素数１〜３０の、任意で置換されていてもよい炭化水素含有基であり、Ｒ１０、Ｒ１１およびＲ１２は、互いに独立して、水素原子であるか又は炭素数１〜３０の炭化水素含有基であり、Ｒ１０、Ｒ１１およびＲ１２のうちの少なくとも１つは水素原子でない。）と、
●  下記の一般式（Ｉ−ｅ−２）で表される少なくとも１種の金属ジチオカルバメート
【化４】
2015507068.tif 000004
（式中、Ｒ１７およびＲ１８は、互いに独立して、直鎖アルキル炭化水素含有基である。）との混合物である、潤滑剤組成物。
【請求項３】
請求項２に記載の潤滑剤組成物において、Ｒ１７およびＲ１８が、互いに独立して、炭素数５〜１２の直鎖アルキル基である、潤滑剤組成物。
【請求項４】
請求項１から３のいずれか一項に記載の潤滑剤組成物において、ジチオカルバメート部位を有する化合物を、当該潤滑剤組成物の総質量に対し、質量％で、０．１〜５％含有する、潤滑剤組成物。
【請求項５】
請求項１から４のいずれか一項に記載の潤滑剤組成物において、上記の式（Ｉ−ｃ）に対応するアミンジチオカルバメートと上記の式（Ｉ−ｅ）に対応する金属ジチオカルバメートとの混合物を、当該潤滑剤組成物の総質量に対し、質量％で、０．１〜３％含有する、潤滑剤組成物。
【請求項６】
請求項１から５のいずれか一項に記載の潤滑剤組成物において、ホスファイト部位を有する化合物が、ホスファイトモノエステル類、ホスファイトジエステル類およびホスファイトトリエステル類の各単体または２種以上の混合物である、潤滑剤組成物。
【請求項７】
請求項６に記載の潤滑剤組成物において、ホスファイトモノエステルが、
●  下記の一般式（ＩＩ−ａ）で表される、アルコール型および／またはケトン型のホスファイトモノエステル
【化５】
2015507068.tif 000005
（式中、Ｒ１９は、炭素数１〜３０の、任意で置換されていてもよい炭化水素含有基である。）である、潤滑剤組成物。
【請求項８】
請求項６に記載の潤滑剤組成物において、ホスファイトジエステルが、
●  下記の一般式（ＩＩ−ｂ）で表される、アルコール型および／またはケトン型のホスファイトジエステル
【化６】
2015507068.tif 000006
（式中、Ｒ２０およびＲ２１は、互いに独立して、炭素数１〜３０の、任意で置換されていてもよい炭化水素含有基である。）である、潤滑剤組成物。
【請求項９】
請求項６に記載の潤滑剤組成物において、ホスファイトトリエステルが、
●  下記の一般式（ＩＩ−ｃ）で表されるホスファイトトリエステル
【化７】
2015507068.tif 000007
（式中、Ｒ２２、Ｒ２３およびＲ２４は、互いに独立して、炭素数１〜３０の、任意で置換されていてもよい炭化水素含有基である。）である、潤滑剤組成物。
【請求項１０】
請求項１から９のいずれか一項に記載の潤滑剤組成物において、ホスファイト部位を有する化合物を、当該潤滑剤組成物の総質量に対し、質量％で、０．１〜５％含有する、潤滑剤組成物。
【請求項１１】
請求項１から１０のいずれか一項に記載の潤滑剤組成物において、ジチオホスフェート部位を有する化合物が、アンモニウムジチオホスフェート類、アミンジチオホスフェート類、ジチオホスフェートエステル類および金属ジチオホスフェート類の各単体または２種以上の混合物である、潤滑剤組成物。
【請求項１２】
請求項１１に記載の潤滑剤組成物において、アンモニウムジチオホスフェートが、
●  下記の一般式（ＩＩＩ−ａ）で表されるアンモニウムジチオホスフェート
【化８】
2015507068.tif 000008
（式中、Ｒ２５およびＲ２６は、互いに独立して、炭素数１〜３０の、任意で置換されていてもよい炭化水素含有基である。）である、潤滑剤組成物。
【請求項１３】
請求項１１に記載の潤滑剤組成物において、アミンジチオホスフェートが、
●  下記の一般式（ＩＩＩ−ｂ）で表されるアミンジチオホスフェート
【化９】
2015507068.tif 000009
（式中、Ｒ２７およびＲ２８は、互いに独立して、炭素数１〜３０の、任意で置換されていてもよい炭化水素含有基であり、Ｒ２９、Ｒ３０およびＲ３１は、互いに独立して、水素原子であるか又は炭素数１〜３０の炭化水素含有基であり、Ｒ２９、Ｒ３０およびＲ３１のうちの少なくとも１つは水素原子でない。）である、潤滑剤組成物。
【請求項１４】
請求項１１に記載の潤滑剤組成物において、ジチオホスフェートエステルが、
●  下記の一般式（ＩＩＩ−ｃ）で表されるジチオホスフェートエステル
【化１０】
2015507068.tif 000010
（式中、Ｒ３３およびＲ３４は、互いに独立して、炭素数１〜３０の、任意で置換されていてもよい炭化水素含有基であり、Ｒ３５およびＲ３６は、互いに独立して、炭素数１〜１８の炭化水素含有基である。）である、潤滑剤組成物。
【請求項１５】
請求項１１に記載の潤滑剤組成物において、金属ジチオホスフェートが、
●  下記の一般式（ＩＩＩ−ｄ）で表される金属ジチオホスフェート
【化１１】
2015507068.tif 000011
（式中、Ｒ３７およびＲ３８は、互いに独立して、炭素数１〜３０の、任意で置換されていてもよい炭化水素含有基であり、Ｍは金属カチオンであり、ｎはこの金属カチオンの価数である。）である、潤滑剤組成物。
【請求項１６】
請求項１から１５のいずれか一項に記載の潤滑剤組成物において、ジチオホスフェート部位を有する化合物を、当該潤滑剤組成物の総質量に対し、質量％で、０．１〜５％含有する、潤滑剤組成物。
【請求項１７】
請求項１から１６のいずれか一項に記載の潤滑剤組成物において、当該潤滑剤組成物が、さらに、芳香族アミン類およびフェノール誘導体類からなる群から選択される酸化防止剤を含む、潤滑剤組成物。
【請求項１８】
請求項１から１７のいずれか一項に記載の潤滑剤組成物において、当該潤滑剤組成物が、さらに、ポリイソブテンから誘導された分散剤を含む、潤滑剤組成物。
【請求項１９】
請求項１から１８のいずれか一項に記載の潤滑剤組成物において、当該潤滑剤組成物が、さらに、ポリメタクリレート系のポリマーを含む、潤滑剤組成物。
【請求項２０】
請求項１から１９のいずれか一項に記載の潤滑剤組成物において、当該潤滑剤組成物の、１００℃における動粘度が、ＡＳＴＭ  Ｄ４４５規格に準拠した測定値で、４〜４０ｃＳｔである、潤滑剤組成物。
【請求項２１】
請求項１から２０のいずれか一項に記載の潤滑剤組成物の使用であって、トランスミッションを潤滑するための使用。
【請求項２２】
請求項１から２０のいずれか一項に記載の潤滑剤組成物の使用であって、車両の燃料消費を減少させるための使用。
【請求項２３】
自動車のトランスミッションを潤滑する方法であって、
請求項１から２０のいずれか一項に記載の潤滑剤組成物をトランスミッションと接触させる工程、
を含む、潤滑方法。
【請求項２４】
潤滑剤組成物の摩耗特性、極圧特性、摩擦特性および耐焼付き性を向上させるための、基油中における、ジチオカルバメート部位を有する少なくとも１種の化合物、ホスファイト部位を有する少なくとも１種の化合物、およびジチオホスフェート部位を有する少なくとも１種の化合物の使用であって、ジチオカルバメート部位を有する化合物が、
●  下記の一般式（Ｉ−ｃ）で表される少なくとも１種のアミンジチオカルバメート
【化１２】
2015507068.tif 000012
（式中、Ｒ８およびＲ９は、互いに独立して、炭素数１〜３０の、任意で置換されていてもよい炭化水素含有基であり、Ｒ１０、Ｒ１１およびＲ１２は、互いに独立して、水素原子であるか又は炭素数１〜３０の炭化水素含有基であり、Ｒ１０、Ｒ１１およびＲ１２のうちの少なくとも１つは水素原子でない。）と、
●  下記の一般式（Ｉ−ｅ）で表される少なくとも１種の金属ジチオカルバメート
【化１３】
2015507068.tif 000013
（式中、Ｒ１７およびＲ１８は、互いに独立して、炭素数１〜３０の、任意で置換されていてもよい炭化水素含有基であり、Ｍは金属カチオンであり、ｎはこの金属カチオンの価数である。）との混合物である、使用。
【手続補正２】
【補正対象書類名】明細書
【補正対象項目名】０２５９
【補正方法】変更
【補正の内容】
【０２５９】
その一方で、前述した式（Ｉ−ｅ）で表される金属ジチオカルバメートのみを潤滑剤組成物中に配合した場合には、優れた耐焼付き性を得ることができない。
なお、本発明は、実施の態様として以下の内容を含む。
〔態様１〕
少なくとも１種の基油と、
ジチオカルバメート部位を有する少なくとも１種の化合物と、
ホスファイト部位を有する少なくとも１種の化合物と、
ジチオホスフェート部位を有する少なくとも１種の化合物と、
を含む潤滑剤組成物であって、ジチオカルバメート部位を有する化合物が、
●  下記の一般式（Ｉ−ｃ）で表される少なくとも１種のアミンジチオカルバメート
【化３５】
2015507068.tif 000014
（式中、Ｒ８およびＲ９は、互いに独立して、炭素数１〜３０の、任意で置換されていてもよい炭化水素含有基であり、Ｒ１０、Ｒ１１およびＲ１２は、互いに独立して、水素原子であるか又は炭素数１〜３０の炭化水素含有基であり、Ｒ１０、Ｒ１１およびＲ１２のうちの少なくとも１つは水素原子でない。）と、
●  下記の一般式（Ｉ−ｅ）で表される少なくとも１種の金属ジチオカルバメート
【化３６】
2015507068.tif 000015
（式中、Ｒ１７およびＲ１８は、互いに独立して、炭素数１〜３０の、任意で置換されていてもよい炭化水素含有基であり、Ｍは金属カチオンであり、ｎはこの金属カチオンの価数である。）との混合物である、潤滑剤組成物。
〔態様２〕
請求項１に記載の潤滑剤組成物において、ジチオカルバメート部位を有する化合物が、
●  下記の一般式（Ｉ−ｃ）で表される少なくとも１種のアミンジチオカルバメート
【化３７】
2015507068.tif 000016
（式中、Ｒ８およびＲ９は、互いに独立して、炭素数１〜３０の、任意で置換されていてもよい炭化水素含有基であり、Ｒ１０、Ｒ１１およびＲ１２は、互いに独立して、水素原子であるか又は炭素数１〜３０の炭化水素含有基であり、Ｒ１０、Ｒ１１およびＲ１２のうちの少なくとも１つは水素原子でない。）と、
●  下記の一般式（Ｉ−ｅ−２）で表される少なくとも１種の金属ジチオカルバメート
【化３８】
2015507068.tif 000017
（式中、Ｒ１７およびＲ１８は、互いに独立して、直鎖アルキル炭化水素含有基である。）との混合物である、潤滑剤組成物。
〔態様３〕
請求項２に記載の潤滑剤組成物において、Ｒ１７およびＲ１８が、互いに独立して、炭素数５〜１２の直鎖アルキル基である、潤滑剤組成物。
〔態様４〕
請求項１から３のいずれか一項に記載の潤滑剤組成物において、ジチオカルバメート部位を有する化合物を、当該潤滑剤組成物の総質量に対し、質量％で、０．１〜５％（好ましくは０．２〜４％、より好ましくは０．３〜２％、さらに好ましくは０．５〜１％）含有する、潤滑剤組成物。
〔態様５〕
請求項１から４のいずれか一項に記載の潤滑剤組成物において、上記の式（Ｉ−ｃ）に対応するアミンジチオカルバメートと上記の式（Ｉ−ｅ）に対応する金属ジチオカルバメートとの混合物を、当該潤滑剤組成物の総質量に対し、質量％で、０．１〜３％（好ましくは０．１〜２％、より好ましくは０．５〜２％）含有する、潤滑剤組成物。
〔態様６〕
請求項１から５のいずれか一項に記載の潤滑剤組成物において、ホスファイト部位を有する化合物が、ホスファイトモノエステル類、ホスファイトジエステル類およびホスファイトトリエステル類の各単体または２種以上の混合物である、潤滑剤組成物。
〔態様７〕
請求項６に記載の潤滑剤組成物において、ホスファイトモノエステルが、
●  下記の一般式（ＩＩ−ａ）で表される、アルコール型および／またはケトン型のホスファイトモノエステル
【化３９】
2015507068.tif 000018
（式中、Ｒ１９は、炭素数１〜３０の、任意で置換されていてもよい炭化水素含有基である。）である、潤滑剤組成物。
〔態様８〕
請求項６に記載の潤滑剤組成物において、ホスファイトジエステルが、
●  下記の一般式（ＩＩ−ｂ）で表される、アルコール型および／またはケトン型のホスファイトジエステル
【化４０】
2015507068.tif 000019
（式中、Ｒ２０およびＲ２１は、互いに独立して、炭素数１〜３０の、任意で置換されていてもよい炭化水素含有基である。）である、潤滑剤組成物。
〔態様９〕
請求項６に記載の潤滑剤組成物において、ホスファイトトリエステルが、
●  下記の一般式（ＩＩ−ｃ）で表されるホスファイトトリエステル
【化４１】
2015507068.tif 000020
（式中、Ｒ２２、Ｒ２３およびＲ２４は、互いに独立して、炭素数１〜３０の、任意で置換されていてもよい炭化水素含有基である。）である、潤滑剤組成物。
〔態様１０〕
請求項１から９のいずれか一項に記載の潤滑剤組成物において、ホスファイト部位を有する化合物を、当該潤滑剤組成物の総質量に対し、質量％で、０．１〜５％（好ましくは０．２〜４％、より好ましくは０．３〜２％、さらに好ましくは０．５〜１％）含有する、潤滑剤組成物。
〔態様１１〕
請求項１から１０のいずれか一項に記載の潤滑剤組成物において、ジチオホスフェート部位を有する化合物が、アンモニウムジチオホスフェート類、アミンジチオホスフェート類、ジチオホスフェートエステル類および金属ジチオホスフェート類の各単体または２種以上の混合物である、潤滑剤組成物。
〔態様１２〕
請求項１１に記載の潤滑剤組成物において、アンモニウムジチオホスフェートが、
●  下記の一般式（ＩＩＩ−ａ）で表されるアンモニウムジチオホスフェート
【化４２】
2015507068.tif 000021
（式中、Ｒ２５およびＲ２６は、互いに独立して、炭素数１〜３０の、任意で置換されていてもよい炭化水素含有基である。）である、潤滑剤組成物。
〔態様１３〕
請求項１１に記載の潤滑剤組成物において、アミンジチオホスフェートが、
●  下記の一般式（ＩＩＩ−ｂ）で表されるアミンジチオホスフェート
【化４３】
2015507068.tif 000022
（式中、Ｒ２７およびＲ２８は、互いに独立して、炭素数１〜３０の、任意で置換されていてもよい炭化水素含有基であり、Ｒ２９、Ｒ３０およびＲ３１は、互いに独立して、水素原子であるか又は炭素数１〜３０の炭化水素含有基であり、Ｒ２９、Ｒ３０およびＲ３１のうちの少なくとも１つは水素原子でない。）である、潤滑剤組成物。
〔態様１４〕
請求項１１に記載の潤滑剤組成物において、ジチオホスフェートエステルが、
●  下記の一般式（ＩＩＩ−ｃ）で表されるジチオホスフェートエステル
【化４４】
2015507068.tif 000023
（式中、Ｒ３３およびＲ３４は、互いに独立して、炭素数１〜３０の、任意で置換されていてもよい炭化水素含有基であり、Ｒ３５およびＲ３６は、互いに独立して、炭素数１〜１８の炭化水素含有基である。）である、潤滑剤組成物。
〔態様１５〕
請求項１１に記載の潤滑剤組成物において、金属ジチオホスフェートが、
●  下記の一般式（ＩＩＩ−ｄ）で表される金属ジチオホスフェート
【化４５】
2015507068.tif 000024
（式中、Ｒ３７およびＲ３８は、互いに独立して、炭素数１〜３０の、任意で置換されていてもよい炭化水素含有基であり、Ｍは金属カチオンであり、ｎはこの金属カチオンの価数である。）である、潤滑剤組成物。
〔態様１６〕
請求項１から１５のいずれか一項に記載の潤滑剤組成物において、ジチオホスフェート部位を有する化合物を、当該潤滑剤組成物の総質量に対し、質量％で、０．１〜５％（好ましくは０．２〜４％、より好ましくは０．３〜２％、さらに好ましくは０．５〜１％）含有する、潤滑剤組成物。
〔態様１７〕
請求項１から１６のいずれか一項に記載の潤滑剤組成物において、当該潤滑剤組成物が、さらに、芳香族アミン類およびフェノール誘導体類からなる群から選択される酸化防止剤を含む、潤滑剤組成物。
〔態様１８〕
請求項１から１７のいずれか一項に記載の潤滑剤組成物において、当該潤滑剤組成物が、さらに、ポリイソブテンから誘導された分散剤を含む、潤滑剤組成物。
〔態様１９〕
請求項１から１８のいずれか一項に記載の潤滑剤組成物において、当該潤滑剤組成物が、さらに、ポリメタクリレート系のポリマーを含む、潤滑剤組成物。
〔態様２０〕
請求項１から１９のいずれか一項に記載の潤滑剤組成物において、当該潤滑剤組成物の、１００℃における動粘度が、ＡＳＴＭ  Ｄ４４５規格に準拠した測定値で、４〜４０ｃＳｔ（好ましくは４．１〜３２．５ｃＳｔ、より好ましくは６〜１８．５ｃＳｔ）である、潤滑剤組成物。
〔態様２１〕
請求項１から２０のいずれか一項に記載の潤滑剤組成物の使用であって、トランスミッション（例えばギアボックス、アクスルなど）（好ましくは自動車のマニュアルギアボックス）を潤滑するための使用。
〔態様２２〕
請求項１から２０のいずれか一項に記載の潤滑剤組成物の使用であって、車両（特に自動車）の燃料消費を減少させるための使用。
〔態様２３〕
自動車のトランスミッションを潤滑する方法であって、
請求項１から２０のいずれか一項に記載の潤滑剤組成物をトランスミッションと接触させる工程、
を含む、潤滑方法。
〔態様２４〕
潤滑剤組成物の摩耗特性、極圧特性、摩擦特性および耐焼付き性を向上させるための、基油中における、ジチオカルバメート部位を有する少なくとも１種の化合物、ホスファイト部位を有する少なくとも１種の化合物、およびジチオホスフェート部位を有する少なくとも１種の化合物の使用であって、ジチオカルバメート部位を有する化合物が、
●  下記の一般式（Ｉ−ｃ）で表される少なくとも１種のアミンジチオカルバメート
【化４６】
2015507068.tif 000025
（式中、Ｒ８およびＲ９は、互いに独立して、炭素数１〜３０の、任意で置換されていてもよい炭化水素含有基であり、Ｒ１０、Ｒ１１およびＲ１２は、互いに独立して、水素原子であるか又は炭素数１〜３０の炭化水素含有基であり、Ｒ１０、Ｒ１１およびＲ１２のうちの少なくとも１つは水素原子でない。）と、
●  下記の一般式（Ｉ−ｅ）で表される少なくとも１種の金属ジチオカルバメート
【化４７】
2015507068.tif 000026
（式中、Ｒ１７およびＲ１８は、互いに独立して、炭素数１〜３０の、任意で置換されていてもよい炭化水素含有基であり、Ｍは金属カチオンであり、ｎはこの金属カチオンの価数である。）との混合物である、使用。